(57)【要約】【課題】比較的に簡単な構成で、異なる２方向にピークを備えた配光曲線を形成するように光を出射できる照明装置を提供する。【解決手段】照明装置３０は、長手方向に沿って複数個のＬＥＤ１が実装される長尺の実装基板２と、実装基板２が取り付けられる長尺の取付板８と、複数個のＬＥＤ１からの光を反射する長尺の反射板９と、内部に取付板８及び反射板９が配置される筒状の筐体３２と、を備えている。反射板９は、複数個のＬＥＤ１からの光を実装基板２の短手方向に沿った方向へ反射する。筐体３２は、反射板９と実装基板２とが対向するように、反射板９及び取付板８を支持する。筐体３２は、反射板９で反射された複数個のＬＥＤ１の光を外部に透過させる。【選択図】図１
2017228375.tif 000002
【特許請求の範囲】
【請求項１】
複数個のＬＥＤと、
長手方向に沿って前記複数個のＬＥＤが実装される長尺の実装基板と、
前記実装基板が取り付けられる長尺の取付板と、
前記複数個のＬＥＤからの光を反射する長尺の反射板と、
内部に前記取付板及び前記反射板が配置される筒状の筐体と、
を備え、
前記反射板は、前記複数個のＬＥＤからの光を前記実装基板の短手方向に沿った方向へ反射し、
前記筐体は、前記反射板と前記実装基板とが対向するように、前記反射板及び前記取付板を支持し、前記反射板で反射された前記複数個のＬＥＤの光を外部に透過させることを特徴とする照明装置。
【請求項２】
前記取付板は、前記筐体へ挿入される際に、前記筐体の内面と当たって挿入を案内するガイド部を有することを特徴とする請求項１に記載の照明装置。
【請求項３】
前記反射板は、第１反射面と、第２反射面と、を有し、
前記第１反射面は、前記実装基板の短手方向に沿った第１方向へ前記複数個のＬＥＤの光を反射し、
前記第２反射面は、前記実装基板の短手方向に沿った第１方向と反対の第２方向へ前記複数個のＬＥＤの光を反射し、
前記第１反射面と前記第２反射面とは、前記実装基板の短手方向の中央部に近づくほど、前記ＬＥＤに向かって突出する曲面を有することを特徴とする請求項１又は請求項２に記載の照明装置。
【発明の詳細な説明】
【技術分野】
【０００１】
本発明は、照明装置に関し、特に、ＬＥＤ(light emitting diode)を備えた照明器具に関する。
【背景技術】
【０００２】
近年、複数のＬＥＤが実装された実装基板を備える照明装置が利用されている。
【０００３】
この種の照明装置としては、ＬＥＤ等の発光素子と、長尺状の基板と、基板を取り付ける取付部材と、略円筒状に形成される本体と、を備えた構成が知られている（例えば、特許文献１）。
【０００４】
特許文献１では、基板は、複数の発光素子が表面側に実装される。本体は、内側に突出する一対の支持レールで、取付部材を支持する。発光素子から出射された光は、透光性の本体を透過して放射され所定範囲に照射される、とされている。
【先行技術文献】
【特許文献】
【０００５】
【特許文献１】特開２０１３−１５２９０１号公報
【発明の概要】
【発明が解決しようとする課題】
【０００６】
ところで、照明装置では、複数のＬＥＤが並んだ方向と直交する断面において、異なる２方向にピークを備えた配光曲線を形成するように光を出射する構成が求められる場合もあり、上述の特許文献１の構成だけでは十分でなく、更なる改良が求められている。
【０００７】
本発明の目的は、比較的に簡単な構成で、複数のＬＥＤが並んだ方向と直交する断面において、異なる２方向にピークを備えた配光曲線を形成するように光を出射できる照明装置を提供することにある。
【課題を解決するための手段】
【０００８】
本発明の一態様に係る照明装置は、複数個のＬＥＤと、実装基板と、取付板と、反射板と、筐体と、を備えている。上記実装基板は、長尺の外形形状をしている。上記実装基板は、長手方向に沿って、上記複数個のＬＥＤが実装される。上記取付板は、長尺の外形形状をしている。上記取付板は、上記実装基板が取り付けられる。上記反射板は、長尺の外形形状をしている。上記反射板は、上記複数個のＬＥＤからの光を反射する。上記筐体は、筒状の外形形状をしている。上記筐体は、内部に、上記取付板及び上記反射板が配置される。上記反射板は、上記複数個のＬＥＤからの光を、上記実装基板の短手方向に沿った方向へ反射する。上記筐体は、上記反射板と上記実装基板とが対向するように、上記反射板及び上記取付板を支持する。上記筐体は、上記反射板で反射された上記複数個のＬＥＤの光を外部に透過させる。
【発明の効果】
【０００９】
本発明の照明装置は、比較的に簡単な構成で、複数のＬＥＤが並んだ方向と直交する断面において、異なる２方向にピークを備えた配光曲線を形成するように光を出射できる。
【図面の簡単な説明】
【００１０】
【図１】図１は、本発明の実施形態の照明装置を示す縦断面図である。
【図２】図２は、同上の照明装置を示し、図２Ａは、一部破断した背面図、図２Ｂは、図２Ａの要部を拡大した断面図である。
【図３】図３は、同上の照明装置の要部を示す一部破断した斜視図である。
【図４】図４は、同上の照明装置を備えた冷蔵ショーケースを示す正面図である。
【図５】図５は、冷蔵ショーケースに取り付けられる同上の照明装置を示し、図５Ａは取付部材に取り付けられた状態の縦断面図、図５Ｂは取付部材に取り付けられた別の状態の縦断面図である。
【図６】図６は、冷蔵ショーケースの要部を示す一部破断した平面図を示し、図６Ａは、実施形態の照明装置を備えた要部を示す平面図、図６Ｂは、実施形態と比較する比較例１の照明装置を備えた要部を示す平面図、図６Ｃは、実施形態と比較する比較例２の照明装置を備えた要部を示す平面図を示す。
【発明を実施するための形態】
【００１１】
以下では、本実施形態の照明装置３０を、図１から図３に基づいて説明する。照明装置３０を備えた冷蔵ショーケース４０を、図４から図６Ａに基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明装置３０は、図１及び図２に示すように、複数個のＬＥＤ１と、実装基板２と、取付板８と、反射板９と、筐体３２と、を備えている。実装基板２は、長尺の外形形状をしている。実装基板２は、長手方向に沿って、複数個のＬＥＤ１が実装される。取付板８は、長尺の外形形状をしている。取付板８は、実装基板２が取り付けられる。反射板９は、長尺の外形形状をしている。反射板９は、複数個のＬＥＤ１からの光を反射する。筐体３２は、筒状の外形形状をしている。筐体３２は、内部に、取付板８及び反射板９が配置される。反射板９は、複数個のＬＥＤ１からの光を、実装基板２の短手方向に沿った方向へ反射する。筐体３２は、反射板９と実装基板２とが対向するように、反射板９及び取付板８を支持する。筐体３２は、反射板９で反射された複数個のＬＥＤ１の光を外部に透過させる。
【００１３】
本実施形態の照明装置３０は、反射板９が複数個のＬＥＤ１からの光を実装基板２の短手方向に沿った方向へ反射し、筐体３２は、反射された光を外部に透過する比較的に簡単な構成で、異なる２方向にピークを備えた配光曲線を形成するように光を出射できる。
【００１４】
以下では、本実施形態の照明装置３０の各構成について詳細に説明する。
【００１５】
本実施形態の照明装置３０は、ＬＥＤ１と実装基板２と取付板８と反射板９と筐体３２に加え、図２Ａ及び図２Ｂに示すように、電源ケーブル３と、電子部品５と、端子部６と、コネクタ７と、エンドキャップ３３と、を備えている。
【００１６】
ＬＥＤ１は、図２Ｂに示すように、ＬＥＤチップ１ａと、パッケージ１ｂと、封止部１ｃと、を備えている。パッケージ１ｂは、ＬＥＤチップ１ａを収容する凹部を備えている。封止部１ｃは、ＬＥＤチップ１ａを覆うように凹部に充填される。封止部１ｃは、透光性封止材料が用いられる。透光性封止材料は、例えば、シリコーン樹脂、エポキシ樹脂、若しくはガラスなどが挙げられる。封止部１ｃには、ＬＥＤチップ１ａから放射される光により励起されて、蛍光を放射する蛍光体が含有されている。
【００１７】
ＬＥＤ１は、例えば、ＬＥＤチップ１ａから放射される青色光と、蛍光体から放射される黄色光との混色により、白色光を放射させることができる。ＬＥＤ１は、ＬＥＤチップ１ａ、若しくは蛍光体の種類を代えることで、白色光だけでなく、例えば、電球色の光を放射できる。
【００１８】
実装基板２は、矩形平板状の外形形状をしている。実装基板２は、第１表面２ａａ及び第１表面２ａａと反対の第２表面２ａｂに所定形状の配線が形成されている。実装基板２では、第１表面２ａａ側の配線と第２表面２ａｂ側の配線とが、厚み方向に貫通する貫通配線により電気的に接続されている。実装基板２は、図２Ａに示すように、ＬＥＤ１、電子部品５、端子部６及びコネクタ７の実装面を除いて、配線を覆うようにレジスト膜が形成されている。実装基板２の第１表面２ａａには、実装基板２の長手方向に沿って、複数個のＬＥＤ１が実装基板２の短手方向における中央部に実装される。実装基板２では、等間隔に並ぶように、複数個のＬＥＤ１が配置される。
【００１９】
実装基板２は、はんだにより、第１表面２ａａに形成された配線の一部に、各ＬＥＤ１が実装される。実装基板２は、配線により、複数個のＬＥＤ１を電気的に直列接続させている。実装基板２は、複数個のＬＥＤ１を電気的に直列接続させる構成だけに限られない。実装基板２は、複数個のＬＥＤ１を電気的に並列接続させる構成でもよいし、複数個のＬＥＤ１を電気的に直並列接続させる構成でもよい。
【００２０】
本実施形態の照明装置３０では、図２Ａ及び図２Ｂに示すように、２つの実装基板２が用いられている。以下では、２つの実装基板２のうち、一方の実装基板２を第１実装基板２１と称し、他方の実装基板２を第２実装基板２２と称することもある。
【００２１】
第１実装基板２１は、第１表面２ａａにおいて、長手方向の一端側における短手方向の両端部それぞれに、一対の端子部６が実装されている。第１実装基板２１は、第１表面２ａａにおいて、長手方向の他端側における短手方向の両端部それぞれに、一対のコネクタ７が実装されている。第１実装基板２１の各コネクタ７は、例えば、雄コネクタ７ａが用いられる。
【００２２】
第２実装基板２２は、第１表面２ａａにおいて、長手方向の一端側における短手方向の両端部それぞれに、一対のコネクタ７が実装されている。第２実装基板２２の長手方向の一端側における一対のコネクタ７は、雌コネクタ７ｂが用いられている。雌コネクタ７ｂは、第１実装基板２１の雄コネクタ７ａと接続できる。第２実装基板２２の各コネクタ７は、第１実装基板２１の各コネクタ７が雌コネクタ７ｂの場合、雄コネクタ７ａが用いられればよい。第２実装基板２２は、第１表面２ａａにおいて、長手方向の他端側における短手方向の両端部それぞれに一対のコネクタ７が実装されていることが好ましい。第２実装基板２２は、長手方向の一端側及び他端側の両側にコネクタ７を備えることで、複数の第２実装基板２２を電気的に接続できる。
【００２３】
実装基板２は、はんだにより、複数種の電子部品５が配線の一部に実装される。実装基板２は、配線を介して、複数個のＬＥＤ１と、複数種の電子部品５と、を電気的に接続させる。実装基板２は、はんだにより、一対の端子部６それぞれが配線の一部に実装される。実装基板２は、配線を介して、複数個のＬＥＤ１と、一対の端子部６と、が電気的に接続される。実装基板２は、はんだにより、一対のコネクタ７が配線の一部に実装される。実装基板２は、配線を介して、複数個のＬＥＤ１と、一対のコネクタ７と、が電気的に接続される。実装基板２は、ガラスエポキシ樹脂基板である。実装基板２は、ガラスエポキシ樹脂基板だけに限られず、例えば、セラミック基板、若しくは金属ベースプリント配線板でもよい。
【００２４】
電源ケーブル３は、図２Ａに示すように、２本の電線３ａと、保護チューブ３ｂと、プラグコネクタ３ｃと、を備えている。電線３ａは、芯線が被膜で被覆された被覆電線である。２本の電線３ａは、第１電線３ｓと、第２電線３ｔである。第１電線３ｓは、ＬＥＤ１のアノードと電気的に接続される。第２電線３ｔは、ＬＥＤ１のカソードと電気的に接続される。保護チューブ３ｂは、第１電線３ｓ及び第２電線３ｔを覆って保護する。保護チューブ３ｂは、筒状の熱収縮チューブが用いられている。プラグコネクタ３ｃは、一端が端子部６と接続される電線３ａの一端とは反対側の先端部に設けられている。プラグコネクタ３ｃは、照明装置３０の外部に設けられた直流電源装置における出力ケーブルの先端に設けられたレセプタクルコネクタと挿抜できる。直流電源装置は、例えば、スイッチング電源回路を有し、電力系統から供給される交流電圧を、直流電圧に変換して出力できるように構成されていればよい。
【００２５】
複数種の電子部品５は、相互に電気的に接続されてＬＥＤ１に定電流を供給する定電流回路を構成している。電子部品５は、例えば、抵抗、若しくはトランジスタなどが挙げられる。定電流回路は、実装基板２の第１表面２ａａに形成される。定電流回路は、所定の直流電圧が印加される場合、ＬＥＤ１に流れる電流を一定にする。定電流回路は、例えば、複数個のＬＥＤ１のうち、所定数のＬＥＤ１の直列回路ごとに１つ設けられる。複数の定電流回路は、全て共通の回路構成で形成されている。
【００２６】
一対の端子部６は、配線によりＬＥＤ１へ給電する電路の一部を構成する。一対の端子部６は、複数の定電流回路と電気的に並列接続される。端子部６は、電線３ａの一端と接続される。端子部６は、電線３ａの芯線と電気的に接続できる。各端子部６は、工具を用いずに電線３ａの接続を行うことができる速結端子で構成されている。各端子部６は、速結端子だけに限られず、コネクタで構成されてもよい。実装基板２は、必ずしも端子部６が設けられる必要はなく、はんだにより、電線３ａの一端が直接的に実装基板２における配線の一部と電気的に接続される構成でもよい。
【００２７】
一対のコネクタ７は、実装基板２の長手方向の両端に備えられてもよいし、実装基板２の長手方向の一端だけに備えられていてもよい。実装基板２は、例えば、長手方向の一方のコネクタ７を雄コネクタ７ａとし、長手方向の他方のコネクタ７を雌コネクタ７ｂとすることができる。照明装置３０は、隣接する実装基板２の一方の雄コネクタ７ａと隣接する実装基板２の他方の雌コネクタ７ｂとが接続されれば、一方の実装基板２から他方の実装基板２へ給電させることができる。言い換えれば、実装基板２は、長手方向の両端に設けられたコネクタ７を、隣接する実装基板２への送り配線に利用することができる。照明装置３０は、長手方向の両端にコネクタ７が設けられた実装基板２を実装基板２の長手方向に連結させることで、３つ以上の実装基板２に実装された複数個のＬＥＤ１を点灯できる。
【００２８】
取付板８は、図２Ａに示すように、長尺の実装基板２の長手方向よりも長く形成されている。取付板８は、図１から図３に示すように、ベース部８ａと、ガイド部８ｂと、を備えている。ベース部８ａは、矩形平板状の外形形状をしている。ベース部８ａは、短手方向が実装基板２の短手方向よりも長い。ベース部８ａは、長手方向が実装基板２の長手方向よりも長い。ベース部８ａは、例えば、厚み方向に貫通するねじにより、実装基板２がねじ止めされる。
【００２９】
ガイド部８ｂは、一対の補強部８ｃと、複数の支柱部８ｄと、を備えている。一対の補強部８ｃそれぞれは、矩形平板の外形形状をしている。一対の補強部８ｃは、ベース部８ａの短手方向の両端に設けられている。一対の補強部８ｃは、ベース部８ａの長手方向に沿って設けられる。一対の補強部８ｃは、ベース部８ａの短手方向の両端からベース部８ａの厚み方向に沿って突出する。一対の補強部８ｃは、ベース部８ａの厚み方向において、同じ方向に突出する。一対の補強部８ｃは、ベース部８ａの短手方向の両端からベース部８ａの厚み方向に沿って離れるにつれ、先端が互いに離れる向きに突出する。一対の補強部８ｃは、ベース部８ａの機械的強度を高めることができる。
【００３０】
支柱部８ｄは、ベース部８ａの短手方向の両端それぞれにおいて、ベース部８ａの長手方向の両端部に設けられる。言い換えれば、支柱部８ｄは、平面視において、ベース部８ａの四隅に設けられる。支柱部８ｄは、平面視において、ベース部８ａの四隅に設けられる構成だけに限られない。支柱部８ｄは、ベース部８ａの長手方向の任意の場所に設けられてもよい。
【００３１】
支柱部８ｄは、図３に示すように、第１突出部８ｄ１と、第２突出部８ｄ２と、を有している。第１突出部８ｄ１は、側面視において、補強部８ｃに沿って補強部８ｃから外方に突出する。第１突出部８ｄ１は、角柱状の外形形状をしている。第２突出部８ｄ２は、第１突出部８ｄ１における補強部８ｃと反対側に設けられる。第２突出部８ｄ２は、角柱状の外形形状をしている。第２突出部８ｄ２は、ベース部８ａの厚み方向に沿って、第１突出部８ｄ１から突出する。第２突出部８ｄ２は、側壁３２ｃに沿うように配置される。第２突出部８ｄ２は、図１に示すように、照明装置３０の縦断面において、側壁３２ｃの平滑な板状の短手方向の長さよりも長さが短い。取付板８は、ガイド部８ｂを利用して、筐体３２の内部へ挿入される。
【００３２】
取付板８は、ガイド部８ｂの支柱部８ｄが第１突出部８ｄ１及び第２突出部８ｄ２を有しているので、筐体３２の内部へ実装基板２と共に取付板８をスライドさせて挿入及び抜去させることを容易に行うことができる。取付板８は、複数のガイド部８ｂが４つ以上設けられていることが好ましい。本実施形態の照明装置３０では、複数のガイド部８ｂが４つ以上設けられていることで、取付板８の長さが長い場合でも、取付板８の変形を抑制して実装基板２を筐体３２の内部に挿入できる。
【００３３】
取付板８は、支柱部８ｄが筐体３２と当たることで、筐体３２の内部で取付板８が、がたつくことを抑制できる。取付板８は、ベース部８ａと補強部８ｃと支柱部８ｄとが、ＬＥＤ１から照射される光を遮光する。言い換えれば、取付板８は、ガイド部８ｂが切り欠くように設けられた窓部８ｂａから、実装基板２の短手方向に沿った方向へＬＥＤ１の光を放射できる。取付板８は、窓部８ｂａの形状により、照明装置３０の配光を制御することもできる。
【００３４】
取付板８は、ベース部８ａとガイド部８ｂとが一体的に形成されている。取付板８は、例えば、金属板により形成される。金属板の材料としては、例えば、亜鉛鋼板が挙げられる。取付板８は、金属平板の打ち抜き加工及び折り曲げ加工により形成される。取付板８は、照明装置３０に１つだけ設けられる場合に限られず、長尺の実装基板２の長手方向に沿って、適宜に複数設けられてもよい。
【００３５】
反射板９は、図１及び図３に示すように、長尺の外形形状をしている。反射板９は、実装基板２の第１表面２ａａに対向して配置される。反射板９は、ＬＥＤ１の光軸と交差するように、実装基板２に正対して配置される。反射板９は、図１に示すように、短手方向の中央部を中心として、線対称に形成される。反射板９は、長手方向と直交する断面視において、短手方向の中央部を境に線対称に形成されている。言い換えれば、反射板９は、実装基板２の短手方向の中央部に近づくほど、ＬＥＤ１に向かって突出する。反射板９は、線対称に形成された一方に第１反射面９ａａを有する。反射板９は、線対称に形成された一方と反対の他方に第２反射面９ａｂを有する。反射板９は、線対称に形成された第１反射面９ａａ及び第２反射面９ａｂそれぞれがパラボラ状の形状をしている。反射板９は、短手方向に沿った両側方に、ＬＥＤ１からの光を反射する。第１反射面９ａａ及び第２反射面９ａｂは、パラボラ形状の形成だけに限られず、放物状の形状でもよい。反射板９は、ＬＥＤ１の光の出射方向と交差する方向へ光を反射させる。反射板９の材料は、例えば、アルミニウムを用いることができる。アルミニウムは、陽極酸化により酸化膜が表面に形成されている。アルミニウムは、真空蒸着技術により銀膜が表面に形成されていてもよい。アルミニウムは、表面が鏡面加工されてもよいし、凹凸加工されてもよい。反射板９は、アルミニウム板の打ち抜き加工及び折り曲げ加工により形成される。
【００３６】
筐体３２は、支持壁３２ａと、底壁３２ｂと、一対の側壁３２ｃと、を備えている。筐体３２は、図２に示すように、長手方向の両端部にエンドキャップ３３が設けられる。筐体３２は、図１及び図３に示すように、筒状の外形形状をしている。筐体３２は、内部に実装基板２が取り付けられた取付板８がスライドされて挿入される。筐体３２は、内部に反射板９がスライドされて挿入される。
【００３７】
支持壁３２ａは、半円筒状の外形形状をしている。支持壁３２ａの内周面には、複数の凹凸３２ｄが形成されている。筐体３２の凹凸３２ｄは、照明装置３０の内部の構造を照明装置３０の外部から視認者に直接的に見え難くし、照明装置３０の意匠性を向上できる。
【００３８】
一対の側壁３２ｃは、支持壁３２ａの両端から延びるように、支持壁３２ａと一体に形成されている。一対の側壁３２ｃは、ＬＥＤ１から放射され反射板９で反射された光を外部に出射できるように、ＬＥＤ１の光に対して透光性を有している。
【００３９】
側壁３２ｃは、図１に示すように、引掛部３２ｅと、支持部３２ｆと、を有している。引掛部３２ｅは、筐体３２の長手方向から見て、Ｖ字形状の外形形状をしている。引掛部３２ｅは、筐体３２の長手方向から見て、外方に向かって突出する。支持部３２ｆは、平板状の外形形状をしている。支持部３２ｆは、長尺の外形形状をしている。支持部３２ｆは、筐体３２の長手方向から見て、側壁３２ｃの内側面における中央部から支持壁３２ａと反対の底壁３２ｂ側に突出する。
【００４０】
底壁３２ｂは、長尺の矩形板状の外形形状をしている。底壁３２ｂは、短手方向の両端で側壁３２ｃと連結される。底壁３２ｂは、凹部３２ｇと、第１突部３２ｈと、第２突部３２ｊと、を有している。底壁３２ｂは、筐体３２の長手方向から見て、中央部に凹部３２ｇが設けられる。凹部３２ｇは、底壁３２ｂの長手方向に沿って、底壁３２ｂの全長に渡って形成される。凹部３２ｇの両端には、第１突部３２ｈが設けられる。第１突部３２ｈは、底壁３２ｂの厚み方向に沿って、外方に向かって突出する。第１突部３２ｈは、矩形板状の外形形状をしている。第１突部３２ｈは、底壁３２ｂの長手方向に沿って、底壁３２ｂの全長に渡って形成される。
【００４１】
第２突部３２ｊは、底壁３２ｂの短手方向において、凹部３２ｇの外側に設けられる。第２突部３２ｊは、底壁３２ｂの厚み方向に沿って、支持壁３２ａに向かって突出する。第２突部３２ｊは、矩形板状の外形形状をしている。第２突部３２ｊは、底壁３２ｂの長手方向に沿って、全長に渡って形成される。一対の第２突部３２ｊは、凹部３２ｇを挟むように、対向して設けられる。
【００４２】
筐体３２は、一対の第１突部３２ｈ及び一対の第２突部３２ｊにより、機械的強度の向上が図られている。筐体３２は、長手方向と直交する断面視において、取付板８のベース部８ａが凹凸３２ｄと当たり、取付板８の支柱部８ｄが支持部３２ｆと当たることで、凹凸３２ｄ及び支持部３２ｆを筐体３２に対する取付板８の位置合わせに利用できる。筐体３２は、反射板９を実装基板２に対向させた状態で、反射板９の短手方向の両端部それぞれを、対応する支持部３２ｆと第２突部３２ｊとの組で挟み持つ。
【００４３】
筐体３２は、支持壁３２ａと底壁３２ｂと一対の側壁３２ｃとが一体的に形成されている。筐体３２は、透光性を有する樹脂材料によって形成される。筐体３２は、例えば、ポリカーボネート樹脂、若しくはアクリル樹脂などの樹脂材料を用いて形成される。筐体３２は、例えば、押出成形により形成される。筐体３２は、二色成形で形成されていてもよい。筐体３２は、透光性の樹脂材料に光拡散材が含有されていてもよい。筐体３２は、支持壁３２ａと底壁３２ｂと一対の側壁３２ｃとが一体的に形成された構成だけに限られず、別体に形成された構成でもよい。筐体３２は、例えば、少なくともＬＥＤ１からの光を外部に出射できるように、側壁３２ｃが透光性材料で形成され、側壁３２ｃ以外がアルミニウム材料で形成されてもよい。
【００４４】
エンドキャップ３３は、図２に示すように、筐体３２の長手方向の端部に設けられる。エンドキャップ３３は、有底筒状の外形形状に形成される。エンドキャップ３３は、筐体３２の端部に装着できるように、筐体３２の端部の外形よりも若干大きい外形形状に形成される。エンドキャップ３３は、筐体３２に装着された場合、筐体３２の外側面に密着する。
【００４５】
照明装置３０は、図２に示すように、２つのエンドキャップ３３のうちの片方において、電源ケーブル３の電線３ａが挿通される一対の孔が設けられている。エンドキャップ３３は、可撓性を有する材料によって形成されている。エンドキャップ３３の材料としては、例えば、シリコーン樹脂、若しくはウレタン樹脂などが挙げられる。
【００４６】
以下では、本実施形態の照明装置３０の組立工程について、簡単に説明する。
【００４７】
組立工程では、ＬＥＤ１、電子部品５、端子部６及びコネクタ７が第１表面２ａａに実装された実装基板２を予め準備する。実装基板２は、エンドキャップ３３の孔に挿通させた電線３ａの一端側の芯線が、端子部６と電気的に接続されている。
【００４８】
一対の実装基板２のうち、第１実装基板２１は、雄コネクタ７ａが第２実装基板２２の雌コネクタ７ｂと機械的及び電気的に接続される。組立工程では、一対の実装基板２のコネクタ７を連結させて長尺にした上で、ねじにより、一対の実装基板２が取付板８にねじ止めされる。
【００４９】
次に、組立工程では、一対の実装基板２が取付板８に取り付けられた状態で、支柱部８ｄが凹凸３２ｄと支持部３２ｆとに挟まれるように、筐体３２の端部から筐体３２の内部に取付板８が挿入される。取付板８は、ガイド部８ｂが筐体３２の側壁３２ｃに沿って、取付板８の移動をガイドする。次に、反射板９の短手方向の両端部がそれぞれ対応する支持部３２ｆと第２突部３２ｊとで挟まれるように、筐体３２の端部から筐体３２の内部に反射板９が挿入される。取付板８と反射板９とは、何れを先に筐体３２に挿入されてもよい。
【００５０】
照明装置３０は、筐体３２の内部に実装基板２及び反射板９が収容され、筐体３２の両端にエンドキャップ３３がそれぞれ装着されることで組み立てられる。照明装置３０は、電源ケーブル３を介して、直流電源装置から直流電力が供給されることにより、ＬＥＤ１が点灯する。
【００５１】
次に、本実施形態の照明装置３０を備えた冷蔵ショーケース４０を、図４及び図５に基づいて簡単に説明する。
【００５２】
本実施形態に係る冷蔵ショーケース４０は、スーパーマーケット、若しくはコンビニエンスストアなどの店舗に設置され、商品４５を陳列しながら冷蔵するように構成されている。冷蔵ショーケース４０は、陳列室４０ａａと、複数段の陳列棚４１と、複数枚の扉４２と、複数の支柱４３と、を有している。陳列室４０ａａは、前方が開放された箱型の外形形状をしている。図４では、商品４５として、ペットボトルを図示している。
【００５３】
複数段の陳列棚４１は、陳列室４０ａａの内部に配置されている。複数段の陳列棚４１は、鉛直方向に沿って、所定の間隔を空けて設けられている。陳列棚４１は、商品４５が載せ置かれる。扉４２は、陳列室４０ａａの前方を塞ぐように配置されている。支柱４３は、扉４２を支持する。扉４２は、蝶番により、支柱４３に対して回転できるように固定されている。
【００５４】
扉４２は、前面ガラス４２ａと、取手４２ｂと、を有している。前面ガラス４２ａは、冷蔵ショーケース４０の外部から陳列棚４１に置かれた商品４５が見えるように透光性を有している。取手４２ｂは、扉４２の開閉に使用される。照明装置３０は、各陳列棚４１に陳列されている商品４５を、それぞれの陳列棚４１の前方、かつ側方から照明するように支柱４３に設置される。図４では、照明装置３０を破線で例示している。照明装置３０は、各段の陳列棚４１における前方の側方側から後方に突出するように取り付けられる。
【００５５】
冷蔵ショーケース４０は、図４から図６Ａに示すように、一対の取付部材３６を用いて、照明装置３０が支柱４３に沿って設置される。一対の取付部材３６は、照明装置３０の長手方向の両端部を保持するように配置されている。取付部材３６は、固定ねじ３７により、支柱４３に固定される。取付部材３６は、固定板３６ａと、第１ばね片３６ｂと、第２ばね片３６ｃと、を備えている。固定板３６ａは、矩形平板状に形成されている。固定板３６ａの中央には、固定ねじ３７を挿通させるねじ挿通孔が貫通している。第１ばね片３６ｂは、長手方向から見て、Ｚ字状に形成されている。第１ばね片３６ｂは、固定板３６ａの一端部に連結されている。第１ばね片３６ｂは、第１引掛凹部３６ｄを有している。第１引掛凹部３６ｄは、第２ばね片３６ｃに対して凹むように設けられている。第２ばね片３６ｃは、固定板３６ａの一端部と反対の他端部に連結されている。第２ばね片３６ｃは、第２引掛凹部３６ｅと、第３引掛凹部３６ｆと、を有している。第２引掛凹部３６ｅと第３引掛凹部３６ｆとは、それぞれ第１ばね片３６ｂに対して凹むように設けられている。
【００５６】
照明装置３０は、図５Ａに示すように、一方の側壁３２ｃの引掛部３２ｅが、第１ばね片３６ｂにおける第１引掛凹部３６ｄに引っ掛けられる。照明装置３０は、他方の側壁３２ｃの引掛部３２ｅが、第２ばね片３６ｃにおける第２引掛凹部３６ｅに引っ掛けられて取付部材３６に取り付けられるように設置される。筐体３２は、図５Ａに示すように、底壁３２ｂに設けられた凹部３２ｇによって、固定ねじ３７の頭部３７ａとの干渉を回避できる。
【００５７】
照明装置３０は、図５Ａに示すように、取付部材３６に固定される場合だけでなく、図５Ｂに示すように取付部材３６に固定されてもよい。図５Ｂに示す照明装置３０では、一方の側壁３２ｃの引掛部３２ｅが、第１ばね片３６ｂにおける第１引掛凹部３６ｄに引っ掛けられる。照明装置３０は、他方の側壁３２ｃの引掛部３２ｅが、第２ばね片３６ｃにおける第３引掛凹部３６ｆに引っ掛けられて、取付部材３６に取り付けられるように設置される。
【００５８】
以下では、本実施形態の照明装置３０が比較的に簡単な構成で、複数のＬＥＤ１が並んだ方向と直交する断面において、異なる２方向にピークを備えた配光曲線を形成するように光を出射できることについて図６を参照して説明する。図６Ａは、本実施形態の照明装置３０を示し、図６Ｂは、本実施形態の照明装置３０と比較する比較例１の照明装置５１を示し、図６Ｃは、本実施形態の照明装置３０と比較する比較例２の照明装置５２を示す。比較例１の照明装置５１は、取付板８及び反射板９を有していない。比較例１の照明装置５１は、本実施形態の照明装置３０の反射板９の位置に実装基板２を配置している。比較例１の照明装置５１は、主として、ＬＥＤ１の光を実装基板２と対向する筐体３２から出射している。比較例２の照明装置５２は、比較例１と同じ構造をしている。図６Ａ、図６Ｂ及び図６Ｃでは、ＬＥＤ１の光を破線の矢印で例示している。図６Ａ、図６Ｂ及び図６Ｃでは、配光曲線を一点鎖線で例示している。
【００５９】
図６Ａ、図６Ｂ及び図６Ｃでは、照明装置３０、比較例１の照明装置５１、若しくは比較例２の照明装置５２が、例えば、冷蔵ショーケース４０の内部を照明する。図６Ａ、図６Ｂ及び図６Ｃでは、照明装置３０、比較例１の照明装置５１、若しくは比較例２の照明装置５２が、商品４５として、ペットボトルを照明する。
【００６０】
ところで、比較例１の照明装置５１は、ＬＥＤ１の光によって、正面の光出力が高くなっており、冷蔵ショーケース４０に取り付けられると、図６Ｂに示すように、冷蔵ショーケース４０の扉４２に沿って支柱４３から側方に離れるにつれ急激に暗くなる傾向にある。言い換えれば、比較例１の照明装置５１は、前方に光を照射するため、照明装置５１の近傍が明るく、かつ照明装置５１の側方が暗くなり、商品４５の見栄えが悪くなる傾向にある。
【００６１】
冷蔵ショーケース４０の扉４２に沿った支柱４３から側方が急激に暗くなることを抑制するため、比較例２の照明装置５２は、図６Ｃに示すように、冷蔵ショーケース４０の両側方へ向けて光を照射させている。比較例２の照明装置５２を備えた冷蔵ショーケース４０は、照明装置５２を２つ使用することで、照明装置５２の近傍が明るく、かつ照明装置５２の間が暗くなることを抑制し、見栄えを改善できる。
【００６２】
しかしながら、比較例２の照明装置５２を備えた冷蔵ショーケース４０は、２つの照明装置５２が必要となる。２つの照明装置５２を備えた冷蔵ショーケース４０は、冷蔵ショーケース４０全体の小型化を図ることが難しくなる。２つの照明装置５２を備えた冷蔵ショーケース４０は、１つの照明装置３０を備えた冷蔵ショーケース４０と比較して、コストの上昇を招く傾向にある。
【００６３】
本実施形態の照明装置３０は、実装基板２に実装されたＬＥＤ１からの光を反射板９で反射させ、実装基板２の短手方向に沿った異なる２方向にピークを備えた配光曲線を形成するように光を出射する構成で、被照射面での見栄えの改善を行うことができる。照明装置３０は、前方への光を抑制し、側方への光の照射を多くすることで、商品４５が陳列された被照射面全体での均斉度を高めることができる。
【００６４】
本実施形態の照明装置３０は、設置にあたって、照明装置３０に外力が加わっても、取付板８及び反射板９を備えていることで、筐体３２の内部の実装基板２の撓みを抑制し、より信頼性を高めることもできる。言い換えれば、照明装置３０は、長尺の取付板８と、長尺の反射板９とを対向して、筐体３２の内部に配置されているので、照明装置３０の長手方向と交差する方向から力が掛かっても、照明装置３０が損傷することを抑制できる。
【００６５】
本実施形態の照明装置３０では、取付板８は、筐体３２へ挿入される際に、筐体３２の内面と当たって挿入を案内するガイド部を有することが好ましい。
【００６６】
本実施形態の照明装置３０は、取付板８がガイド部８ｂを有する構成で、比較的簡単に取付板８を筐体３２に挿入させることができる。
【００６７】
本実施形態の照明装置３０では、反射板９は、第１反射面９ａａと、第２反射面９ａｂと、を有している。第１反射面９ａａは、実装基板２の短手方向に沿った第１方向へ複数個のＬＥＤ１の光を反射する。第２反射面９ａｂは、実装基板２の短手方向に沿った第１方向と反対の第２方向へ複数個のＬＥＤ１の光を反射する。第１反射面９ａａと第２反射面９ａｂとは、実装基板２の短手方向の中央部に近づくほど、ＬＥＤ１に向かって突出する曲面を有することが好ましい。
【００６８】
本実施形態の照明装置３０は、反射板９が第１反射面９ａａと第２反射面９ａｂとを有し、第１反射面９ａａと第２反射面９ａｂとが、実装基板２の短手方向の中央部に近づくほどＬＥＤ１に向かって突出する曲面を有する簡単な構成で、所定の配向特性が得られる。
【００６９】
本発明は、上述の実施形態に限定されず、本発明に係る技術的思想を逸脱しない範囲で、種々変更することができる。
【符号の説明】
【００７０】
１  ＬＥＤ
２  実装基板
８  取付板
８ｂ  ガイド部
９  反射板
９ａａ  第１反射面
９ａｂ  第２反射面
３０  照明装置
３２  筐体
【図１】
2017228375.tif 000003
【図２】
2017228375.tif 000004
【図３】
2017228375.tif 000005
【図４】
2017228375.tif 000006
【図５】
2017228375.tif 000007
【図６】
2017228375.tif 000008